(57)【要約】【課題】靴に着脱可能であり、靴に取り付けたままで、使用時には爪を靴底から突出させ、不使用時には爪を靴底から退避できるアイゼンを提供する。【解決手段】靴底３の土踏まず部３ａに当てられ、固定バンド８により靴２に着脱可能な固定部４と、固定部に回動可能に取り付けられ、複数の爪１０を有する可動部５とを備える。可動部５は、爪１０が靴底より下方に位置する使用位置と、爪１０が靴底より上方でかつ靴の外方に位置する不使用位置とに回動可能である。固定部４は、両側端に軸部７を有し、可動部５は、靴底の土踏まず部から前の部分の外側を囲むＵ字形状を有し、軸部に回動可能に取り付けられている。可動部５は、使用位置にあるときに靴底を支持する支持バー１２と、可動部５を靴に締め付ける締付バンド１５とをさらに有する。【選択図】図１
2017221283.tif 000002
【特許請求の範囲】
【請求項１】
靴底の土踏まず部に当てられ、固定具により靴に着脱可能な固定部と、
前記固定部に回動可能に取り付けられ、複数の爪を有する可動部とを備え、
前記可動部は、前記爪が靴底より下方に位置する使用位置と、前記爪が靴底より上方でかつ靴の外方に位置する不使用位置とに回動可能であることを特徴するアイゼン。
【請求項２】
前記固定部は、両側端に軸部を有し、
前記可動部は、靴底の土踏まず部から前の部分の外側を囲むＵ字形状を有し、前記軸部に回動可能に取り付けられ、
前記可動部は、前記使用位置にあるときに靴底を支持する支持部と、前記可動部を靴に締め付ける締付具とをさらに有することを特徴とする請求項１に記載のアイゼン。
【請求項３】
前記可動部は、前記使用位置で前記爪が靴の土踏まず部から爪先部の下方に位置し、前記不使用位置で前記爪が靴底より上方でかつ靴の土踏まず部から爪先部の上方に位置することを特徴とする請求項２に記載のアイゼン。
【請求項４】
前記固定部は、中央部に靴の幅方向に延びる軸部を有し、
前記可動部は、靴底の土踏まず部から前の部分を支持する形状を有し、前記軸部に連結部を介して回動可能に取り付けられ、
前記可動部は、前記可動部を靴に締め付ける締付具をさらに有することを特徴とする請求項１に記載のアイゼン。
【請求項５】
前記可動部は、前記使用位置で前記爪が靴の土踏まず部から爪先部の下方に位置し、前記不使用位置で前記爪が靴底の踵部より上方に位置することを特徴とする請求項４に記載のアイゼン。
【発明の詳細な説明】
【技術分野】
【０００１】
本発明は靴の底に装着して雪の上を安全に歩くことができるアイゼンに関する。
【背景技術】
【０００２】
積雪や残雪がある登山道、凍結した登山道を滑らないように歩くために、靴底にアイゼンが取り付けられる。アイゼンは、登山中、雪のない道では装着しないが、残雪等があると、ザックから取り出して靴底に装着される。また、残雪等がなくなると、アイゼンをしたままでは歩きにくいため、アイゼンを取り外す必要がある。一般にアイゼンはバンドにより取り付けられるため、取り付けや取り外しに時間がかかり、煩雑である。また、他の登山者の邪魔にならないように道の脇の着脱場所を確保する必要がある。このように、アイゼンの着脱時には、登山道の渋滞や着脱場所での混雑を招く。
【０００３】
特許文献１には、靴底に当接するように鐙（あぶみ）を形成し、該鐙の両側にスプリングを介して上下に摺動するスパイクを設けて、硬い路面ではスパイクが押し込まれ、雪面では突き刺さるようにスプリング力を付与したアイゼンが提案されている。
【０００４】
しかし、特許文献１のアイゼンは、凍結した路面に対してはスパイクが押し込まれてグリップが効かないことがあり、また土等の路面では突き刺さって歩きにくいという問題がある。
【０００５】
靴自体に滑り止めの爪やスパイクを内蔵したものとして、特許文献２には、靴底に凹所を設け、靴底接地面から爪が突出する使用位置と爪が靴底接地面から退避して凹所に収納される収納位置とに保持される防滑靴が提案されている。また、特許文献３には、靴底に収納スペースが形成され、該収納スペースにスパイクユニットが靴底に出没可能としたスパイク内蔵式靴が提案されている。
【０００６】
しかし、特許文献２や特許文献３の靴は、下向きに開口した靴底の凹所に内蔵されているため、爪やスパイクの大きさ、数及び位置が制約され、使用時に凹所が雪で埋まり、元に収納できなくなる等の問題があるため、登山道には不向きである。
【先行技術文献】
【特許文献】
【０００７】
【特許文献１】特開２００６−３３４３３３号公報
【特許文献２】実用新案登録第３００２７１７号明細書
【特許文献３】実用新案登録第３０８００５５号明細書
【発明の概要】
【発明が解決しようとする課題】
【０００８】
本発明は、このような従来の問題点に鑑みてなされたもので、靴に着脱可能であり、靴に取り付けたままで、使用時には爪を靴底から突出させ、不使用時には爪を靴底から退避できるアイゼンを提供することを課題とする。
【課題を解決するための手段】
【０００９】
前記課題を解決するための手段として、本発明に係るアイゼンは、
（１）靴底の土踏まず部に当てられ、固定具により靴に着脱可能な固定部と、
前記固定部に回動可能に取り付けられ、複数の爪を有する可動部とを備え、
前記可動部は、前記爪が靴底より下方に位置する使用位置と、前記爪が靴底より上方でかつ靴の外方に位置する不使用位置とに回動可能であることを特徴する。
【００１０】
本発明では、予め固定部を靴の土踏まず部に当ててアイゼンを靴に装着しておくことができる。使用時に可動部を使用位置に回動させると、爪が靴底より下方に位置するので、雪のある道を滑ることなく安全に歩くことができる。不使用時に可動部を不使用位置に回動させると、爪が靴底より上方でかつ靴の外方に位置するので、アイゼンを靴から取り外すことなく、雪のない道を歩くことができる。
【００１１】
（２）前記固定部は、両側端に靴の幅方向に延びる軸部を有し、
前記可動部は、靴底の土踏まず部から前の部分の外側を囲むＵ字形状を有し、前記軸部に回動可能に取り付けられ、
前記可動部は、前記使用位置にあるときに靴底を支持する支持部と、前記可動部を靴に締め付ける締付具とをさらに有する。
【００１２】
（３）前記可動部は、前記使用位置で前記爪が靴の土踏まず部から爪先部の下方に位置し、前記不使用位置で前記爪が靴底より上方でかつ靴の土踏まず部から爪先部の上方に位置する。
【００１３】
（４）前記軸部は、前記可動部に形成された爪先方向に延びる長孔に挿通されていることが好ましい。これにより、靴の長さに合わせて可動部の位置を調整することができる。
【００１４】
（５）前記可動部を前記不使用位置に付勢するばねを備えていることが好ましい。
【００１５】
（６）前記固定部は、中央部に靴の幅方向に延びる軸部を有し、
前記可動部は、靴底の土踏まず部から前の部分を支持する形状を有し、前記軸部に連結部を介して回動可能に取り付けられ、
前記可動部は、前記可動部を靴に締め付ける締付具をさらに有する。
【００１６】
（７）前記可動部は、前記使用位置で前記爪が靴の土踏まず部から爪先部の下方に位置し、前記不使用位置で前記爪が靴底の踵部より上方に位置することが好ましい。
【００１７】
（８）前記軸部は、前記固定部に形成された爪先方向に延びる長孔に挿通されていることが好ましい。これにより、靴の長さに合わせて可動部の位置を調整することができる。
【発明の効果】
【００１８】
本発明によれば、予め固定部を靴の土踏まず部に当ててアイゼンを靴に装着しておき、使用時には可動部を使用位置に回動させ、不使用時には可動部を不使用位置に回動させるだけでよく、登山中にアイゼンの着脱動作だけでなく、アイゼンのザックへの収納や取出し動作が不要であるため、登山道の渋滞や混雑を避けることができるという効果を有している。
【図面の簡単な説明】
【００１９】
【図１】本発明の第１実施形態のアイゼンの使用状態を示す側面図（ａ）、不使用状態を示す側面図（ｂ）。
【図２】図１のアイゼンの背面図。
【図３】図１のアイゼンの底面図。
【図４】図１のアイゼンのＩＶ−ＩＶ線断面図。
【図５】捩じりばねを装着した変形例のアイゼンの部分拡大図。
【図６】本発明の第２実施形態のアイゼンの使用状態を示す側面図（ａ）、不使用状態を示す側面図（ｂ）。
【図７】図５のアイゼンの使用状態を示す底面図（ａ）、不使用状態を示す底面図（ｂ）。
【図８】第１実施形態の変形例のアイゼンの使用状態を示す側面図（ａ）、不使用状態を示す側面図（ｂ）。
【発明を実施するための形態】
【００２０】
次に、本発明の実施形態を添付図面に従って説明する。
【００２１】
＜第１実施形態＞
図１は、本発明の第１実施形態に係るアイゼン１を示す。アイゼン１は、登山靴等の靴２の靴底３に取り付けられるもので、固定部４と可動部５とを備えている。
【００２２】
固定部４は、靴底３の土踏まず部３ａに当てられる靴２の幅方向に長い矩形の金属製の板で形成されている。靴底３の土踏まず部３ａとは、踵部分３ｂの前方の凹んだ部分をいう。固定部４の両側端は、図２に示すように、靴底３の土踏まず部３ａから両側に突出して上方に屈曲する突出部６が形成されている。突出部６には靴２の幅方向に延びる軸部７が設けられている。固定部４は、軽量化のため、孔が形成されていてもよい。また、固定部４の雪と接触する面に雪の団子が付着するのを防止するため、酢酸ビニル、塩化ビニル等のスノープレートが取り付けられてもよい。
【００２３】
固定部４の両側には、図２に示すように、突出部６に取り付けたリング８ａを介して固定バンド８が取り付けられ、この固定バンド８を靴２の甲部２ａ及び足首２ｂに廻して締結することにより、固定部４を靴２の土踏まず部３ａに固定することができ、また取り外すこともできるようになっている。固定バンド８のバンドは、ゴムバンド、テープバンドを使用することができ、締結部はフック、バックル等を使用することができる。
【００２４】
可動部５は、図３に示すように、靴底３の土踏まず部３ａから前の部分の外側を囲むように金属製の帯板をＵ字形状に折り曲げて形成されている。図３では、可動部５の中間部から先端側は台形状に折り曲げられているが、靴２の爪先部２ｃに沿って全体的に湾曲するように形成されてもよい。可動部５の両端は、図１に示すように、爪先方向に向かって延びる長孔９が形成され、該長孔９に固定部４の軸部７が挿通されて回動可能に取り付けられている。可動部５の下縁には雪面に突き刺さるように６本の爪１０が形成されている。可動部５は、図１（ａ）に示すように爪１０が靴底３より下方に位置する使用位置と、図１（ｂ）に示すように爪１０が靴底３より上方でかつ靴２の外方に位置する不使用位置とに回動可能である。
【００２５】
可動部５の先端部と軸部７の間には、図３、図４に示すように、靴２の幅方向に貫通する貫通孔１１が形成され、当該貫通孔１１に支持バー１２が挿通されている。支持バー１２は、靴２の幅方向に長い金属製の板からなり、一端に屈曲片１３を有し、他端に係合孔１４が形成されている。支持バー１２の一端の屈曲片１３には締付バンド１５が取り付けられている。締付バンド１５は伸縮可能なゴム製で、先端に支持バー１２の他端の係合孔１４に係合するフック１６を有している。支持バー１２は、可動部５が使用位置にあるときに、靴底３を支持することができるように、爪１２の付け根より上方に位置している。
【００２６】
以上の構成からなるアイゼン１を使用するには、まず図１（ａ）に示すように、可動部５を固定部４の前方に置き、可動部５の中に靴底３の土踏まず部３ａより前の部分を入れて支持バー１２に置き、靴底３の土踏まず部３ａを固定部４の上に置き、固定部４の両側の固定バンド８を靴２の甲部２ａから足首部２ｂに廻して図示しない締結具で締結する。固定部４の位置は、可動部５が靴２に当たらずに上下に回動できる位置に調整する。可動部５の両端に長孔９が形成されているので、靴２の大きさに合わせて可動部５を靴２の長さ方向に調整することができる。次に、支持バー１２の締付バンド１５を靴２の甲部２ａに廻してフック１６を支持バー１２の係合孔１４に係合して固定する。これにより可動部４は図１（ａ）に示す使用位置となる。この使用位置では、可動部５の爪１０が靴２の土踏まず部２ａから爪先部２ｃの下方に位置し、雪面を滑らずに安全に歩くことができる。
【００２７】
雪が無くなり、アイゼン１を使用する必要がないときは、図４に示すように、締付バンド１５のフック１６を支持バー１２の係合孔１４から外して支持バー１２を可動部５の貫通孔１１から引き抜く。続いて、図１（ｂ）に示すように、可動部５を靴１の甲部２ａより上方に持ち上げ、この状態で支持バー１２を可動部５の貫通孔１１に差し込み、締付バンド１５のフック１６を支持バー１２の係合孔１４に係合する。これにより、可動部５は図１（ｂ）に示す不使用位置となる。この不使用位置では、可動部５の爪１０が靴底３より上方でかつ靴２の土踏まず部３ａから爪先部２ｃの上方に位置するので、歩いても爪１０が地面に突き刺さることがなく、歩くことができる。
【００２８】
使用位置に戻すには、支持バー１２を可動部５の貫通孔１１から引き抜き、可動部５を下方に降ろし、靴２の爪先部２ｃを上げて可動部５と靴底３の間に隙間を開けた状態で、支持バー１２を可動部５の貫通孔１１に差し込み、支持バー１２の締付バンド１５を靴２の甲部２ａに廻し、フック１６を支持バー１２の係合孔１４に係合して固定する。これにより、可動部５は図１（ａ）に示す使用位置に戻り、再び雪面を滑らずに安全に歩くことができる。
【００２９】
このように、アイゼン１を靴２から取り外すことなく、アイゼン１を使用位置と不使用位置に回動させることができるので、登山中にアイゼン１の着脱動作だけでなく、アイゼン１のザックへの収納や取出し動作が不要である。
【００３０】
第１実施形態のアイゼン１は、可動部５を使用位置から不使用位置に付勢する捩じりばね１７を備えることができる。具体的に説明すると、図５に示すように、固定部４の軸部７に捩じりばね１７を装着し、捩じりばね１７の一端を固定部４の突出部６に係止し、他端を可動部５に係止して、図１（ｂ）に示す不使用位置で捩じりばね１７が効かずに静止し、図１（ｂ）の不使用位置から図１（ａ）に示す使用位置に可動部５を移動させると捩じりばね１７のばね力が効くようにする。可動部５を使用位置にするには、捩じりばね１７のばね力に抗して可動部５を押し下げて、支持バー１２を可動部５の貫通孔１１に差し込む。これにより、支持バー１２は捩じりばね１７の付勢力により靴底３に押し付けられる。可動部５を不使用位置にするために、支持バー１２を可動部５の貫通孔１１から引き抜くと、捩じりばね１７の付勢力により可動部５は使用位置に自動的に移動する。
【００３１】
＜第２実施形態＞
図６は、本発明の第２実施形態に係るアイゼン２１を示す。アイゼン２１は、登山靴等の靴２の靴底３に取り付けられるもので、固定部２２と可動部２３とを備えている。
【００３２】
固定部２２は、靴底３の土踏まず部３ａに当てられる靴２の幅方向に長い矩形の金属製の板で形成されている。固定部２２の両側端は、靴底３の土踏まず部３ａから両側に突出して下方に屈曲する突出部２４が形成されている。突出部２４には靴２の長さ方向に延びる長孔２５が形成され、該長孔２４に靴２の幅方向に延びる軸部２６が挿通されている。固定部２２は、軽量化のため、孔が形成されていてもよい。また、固定部２２の雪と接触する面に雪の団子が付着するのを防止するため、酢酸ビニル、塩化ビニル等のスノープレートが取り付けられてもよい。
【００３３】
固定部２２の両側の上面には、リング２７ａが取り付けられ、該リング２７ａに固定バンド２７が取り付けられ、この固定バンド２７を靴の甲部２ａ及び足首部２ｂに廻して締結することにより、固定部２２を靴２の土踏まず部３ａに固定することができ、また取り外すこともできるようになっている。固定バンド２７のバンドは、ゴムバンド、テープバンドを使用することができ、締結部はフック、バックル等を使用することができる。
【００３４】
可動部２３は、図７（ａ）に示すように、靴底３の土踏まず部３ａから前の部分を支持するように金属製の枠で形成されている。可動部２３は、Ｕ字形部２３ａと、該Ｕ字形部２３ａの両端を連結する直線部２３ｂとからなり、Ｕ字形部２３ａの幅は、靴底３の踵部３ｂの幅より大きく、Ｕ字形部２３ａの先端から直線部２３ｂまでの長さは、靴底３の踵部３ｂの後面から土踏まず部３ａまでの長さと同じである。すなわち、可動部２３は、不使用時に踵部３ｂに反転されたときに、踵部３ｂがＵ字形部２３ａに収容される大きさに形成されている。図７（ａ）は、Ｕ字形部２３ａは台形状に折り曲げられているが、靴底３の踵部３ｂに沿って全体的に湾曲するように形成されてもよい。可動部２３の直線部２３ｂは、固定部２２の軸部２６に連結部２８を介して回動可能に取り付けられている。連結部２３は、可撓性を有する樹脂で形成され、一端は可動部２３の直線部２３ｂに取り付けられ、他端は軸孔２９が設けられ、該軸孔２９に固定部２２の軸部２６が挿通されている。連結部２３は、可撓性を有する樹脂に限らず、固定部２２と可動部２３が少なくとも上下方向、前後方向に相対的に移動可能となるように、固定部２２と可動部２３を連結するものであればよく、例えば鎖などでもよい。
【００３５】
可動部２３のＵ字形部２３ａの下縁には雪面に突き刺さるように６本の爪３０が形成されている。可動部２３のＵ字形部２３ａには、リング３１ａが取り付けられ、該リング３１ａに締付バンド３１が取り付けられている。可動部２３は、図６（ａ）に示すように爪２３が靴底３より下方に位置する使用位置と、図６（ｂ）に示すように爪３０が靴底３の踵部３ｂより上方に位置する不使用位置とに回動可能である。
【００３６】
以上の構成からなるアイゼン２１を使用するには、まず図６（ａ）、図７（ａ）に示すように、可動部２３を固定部２２の前方に置き、可動部２３の上に靴底３の土踏まず部３ａより前の部分を置き、靴底３の土踏まず部３ａを固定部２２の上に置き、固定部２２の両側の固定バンド２７を靴２の甲部２ａから足首部２ｂに廻して図示しない締結具で締結する。次に、可動部２３の締付バンド３１により可動部２３を靴２の甲部２ａに固定する。これにより可動部２３は図６（ａ）に示す使用位置となる。この使用位置では、可動部２３の爪３０が靴底３の土踏まず部３ａから爪先部の下方に位置し、雪面を滑らずに安全に歩くことができる。
【００３７】
雪が無くなり、アイゼン２１を使用する必要がないときは、図６（ｂ）、図７（ｂ）に示すように、締付バンド３１を外し、可動部２３を靴底３の踵部３ｂの側に反転し、可動部２３のＵ字形部２３ａが踵部３ｂの外側に位置するようにし、可動部２３の締付バンド３１により可動部２３を靴２の甲部２ａに固定する。これにより、可動部２３は図６（ｂ）に示す不使用位置となる。この不使用位置では、可動部２３の爪３０が靴底３より上方でかつ靴底３の踵部３ｂの上方に位置するので、歩いても爪３０が地面に突き刺さることがなく、歩くことができる。
【００３８】
使用位置に戻すには、可動部２３の締付バンド３１を外して、可動部２３を爪先側に反転し、締付バンド３１により靴２の甲部２ａに固定する。これにより、可動部２３は図６（ａ）に示す使用位置に戻り、再び雪面を滑らずに安全に歩くことができる。
【００３９】
このように、アイゼン２１を取り外すことなく、アイゼン２１を使用位置と不使用位置に回動させることができるので、登山中にアイゼン２１の着脱動作だけでなく、アイゼン２１のザックへの収納や取出し動作が不要である。
【００４０】
本発明は以上の実施形態に限らず、特許請求の範囲に記載した発明の範囲内で種々変更することができる。例えば、固定バンド及び締付バンドの形態や取り付け位置は適宜変更することができる。
【００４１】
また、第１実施形態のアイゼンの変形例として、図８に示すように、可動部５の長孔９を長くして可動部５を前後方向に移動可能にするとともに、支持バー１２を可動部５に一体に形成することで、可動部５を不使用位置にするときには、図８（ａ）中２点鎖線で示すように可動部５を前方に移動させ、支持バー１２が爪先部２ｃの前方を通るようにしてから、図８（ｂ）に示すように、可動部５を上方に回動させて後方に移動させるように構成してもよい。また、可動部５の長穴９を長くする代わりに、可動部５の中間部分を入れ子式にして可動部５を前後方向に伸縮可能としてもよい。
【符号の説明】
【００４２】
１…アイゼン
２…靴
２ａ…甲部
２ｂ…足首部
２ｃ…爪先部
３…靴底
３ａ…土踏まず部
３ｂ…踵部
４…固定部
５…可動部
６…突出部
７…軸部
８…固定バンド（固定具）
８ａ…リング
９…長孔
１０…爪
１１…貫通孔
１２…支持バー（支持部）
１３…屈曲片
１４…係合孔
１５…締付バンド（締付具）
１６…フック
１７…捩じりばね
２１…アイゼン
２２…固定部
２３…可動部
２４…突出部
２５…長孔
２６…軸部
２７…固定バンド（固定具）
２７ａ…リング
２８…連結部
２９…軸孔
３０…爪
３１…締付バンド（締付具）
【図１】
2017221283.tif 000003
【図２】
2017221283.tif 000004
【図３】
2017221283.tif 000005
【図４】
2017221283.tif 000006
【図５】
2017221283.tif 000007
【図６】
2017221283.tif 000008
【図７】
2017221283.tif 000009
【図８】
2017221283.tif 000010